(57)【要約】  【課題】  良好な作業性が保たれると共に、施術者に刺入の感覚を正確に伝えることができる鍼具を提供する。【解決手段】  鍼体１と、鍼体１が挿入された案内管５と、案内管５を覆う鍼管２とを備え、案内管５の端部には、鍼体２を保持する保持部材１０が設けられており、保持部材１０は、液状のラテックス又はポリウレタン樹脂に案内管５の端部を浸漬させた後に乾燥して形成される鍼具である。【選択図】  図１
2007075295.tif 000002
【特許請求の範囲】
【請求項１】
鍼体と、
前記鍼体が挿入された案内管と、
前記案内管を覆う鍼管とを備え、
前記案内管の端部には、前記鍼体を保持する保持部材が設けられており、
前記保持部材は、液状のラテックス又はポリウレタン樹脂に前記案内管の端部を浸漬させた後に乾燥して形成される鍼具。
【請求項２】
前記案内管の外周面と前記鍼管の内周面との間に隙間を有している請求項１に記載の鍼具。
【発明の詳細な説明】
【技術分野】
【０００１】
本発明は、鍼治療に用いる鍼具に関する。
【背景技術】
【０００２】
鍼治療に用いる鍼具として、特許文献１に記載されたような鍼灸針が知られている。
【０００３】
この鍼灸針は、図２に示すように、一端部に柄１０３が付いた針線１０２と、針線１０２が挿入された針管１０１と、針管１０１の先端内部に出し入れ可能に挿入されたガイド管１０４とを備えており、ガイド管１０４の内部や、針管１０１と柄１０３との間には、針線１０２をガイド管１０４及び針管１０１に保持するスポンジ１０５、１０６が装填されている。
【０００４】
このような構成の鍼灸針によれば、針線１０２を針管１０１に沿って経穴（ツボ）に刺入した後、針管１０１を取り去る。その後、ガイド管１０４を指で摘んで、柄１０３を軽く叩く等して針線１０２の先端によりツボを刺激する。
【特許文献１】実開昭５７−１２８８３７号公報
【発明の開示】
【発明が解決しようとする課題】
【０００５】
しかし、このような鍼灸針では、スポンジ１０５をガイド管１０４に装填するために、ガイド管１０４の径をある程度大きくせざるを得ず、針線１０２を刺入する時に、ガイド管１０４を通じて、施術者に刺入の感覚が伝わりにくいという問題があった。
【０００６】
また、ガイド管１０４にスポンジ１０５が密に装填されていると、針線１０２をスムーズに刺入することができず、一方、粗に装填されていると、針線１０２やスポンジ１０５がガイド管１０４から脱落するおそれがあるという問題があった。
【０００７】
本発明は、上記問題を解決するためになされたものであって、良好な作業性が保たれると共に、施術者に刺入の感覚を正確に伝えることができる鍼具の提供を目的とする。
【課題を解決するための手段】
【０００８】
本発明の前記目的は、鍼体と、前記鍼体が挿入された案内管と、前記案内管を覆う鍼管とを備え、前記案内管の端部には、前記鍼体を保持する保持部材が設けられており、前記保持部材は、液状のラテックス又はポリウレタン樹脂に前記案内管の端部を浸漬させた後に乾燥して形成される鍼具により達成される。
【０００９】
また、前記鍼具は、前記案内管の外周面と前記鍼管の内周面との間に隙間を有していることが好ましい。
【発明の効果】
【００１０】
本発明の鍼具によれば、良好な作業性が保たれると共に、施術者に刺入の感覚を正確に伝えることができる。
【発明を実施するための最良の形態】
【００１１】
以下、本発明の実態形態について添付図面を参照して説明する。図１は、本発明の一実施形態に係る鍼具１の側面断面図である。図１に示すように、この鍼具１は、鍼管２、鍼体４および案内管５を備えている。
【００１２】
鍼管２は、プラスチック製の円筒状部材であり、鍼体４および案内管５を覆っている。鍼管２の材質としては、ガラス、アクリル樹脂、ステンレス等を用いてもよい。
【００１３】
鍼体４は、ステンレスから形成されており、鍼管２の内部に挿入されている。鍼体４の一端側には鍼柄３が設けられている。鍼柄３は、鍼体４と共に鍼管２の内部に挿入され、鍼管２に沿って移動可能になっている。また、鍼体４の他端側は、先細に形成されており、案内管５の内部に挿入されている。
【００１４】
案内管５は、鍼管２に沿って移動可能なように鍼管２の内部に挿入されると共に、鍼体４を覆っている。また、案内管５の外周面と鍼管２の内周面との間には隙間が存在している。案内管５の一端側の内部には保持部材１０が設けられており、保持部材１０には鍼体４が貫通している。こうして、保持部材１０によって、鍼体４が案内管５に沿って移動可能なように保持されている。本実施形態では、保持部材１０は、案内管５の内部において、挿入された鍼体４の先端側端部に設けられている。保持部材１０は、ラテックスを案内管５の内部に充填することにより構成されている。ラテックスとしては、天然ゴムラテックス及び合成ゴムラテックスが挙げられる。また、合成ゴムラテックスとしては、ポリイソプレンゴムラテックスが挙げられる。本実施形態では、保持部材１０の材質としてラテックスを用いているが、ポリウレタン樹脂を用いてもよい。
【００１５】
上述した鍼具１は、以下のようにして製造される。
【００１６】
まず、ラテックスを主成分とし、可塑剤や添加剤等を適宜混合した溶液の中に、案内管５の一端部を下方へ向けて浸漬する。これにより、案内管５の端部にラテックスが導入されて付着する。その後、案内管５を液状のラテックスから引き上げて、温風を吹き付ける等してラテックスを乾燥させる。これにより、案内管５の内部にラテックスからなる保持部材１０が形成される。保持部材１０がポリウレタン樹脂から形成されている場合にも、同様の方法により、製造することができる。
【００１７】
その後、鍼体４を案内管５の内部に挿入する。挿入された鍼体４は、保持部材１０を貫通し、案内管５に沿って移動可能に保持される。最後に、鍼体４及び案内管５を鍼管２の内部に挿入する。
【００１８】
次に、以上のように構成された鍼具１を用いて施術する方法を説明する。
【００１９】
まず、鍼管２の端面を経穴（ツボ）に当てた状態で、鍼柄３の上部を軽く叩く。これにより、鍼体４の先端がツボに刺入される。その後、鍼管２を取り去り、案内管５を指で摘む。この状態で、鍼柄３を軽く叩いて切皮し、鍼体４を上下に動かしたり、振動させる等して刺激を与える。こうして、ツボが刺激される。
【００２０】
本実施形態においては、保持部材１０が液状のラテックス又はポリウレタン樹脂に案内管５の端部を浸漬させた後に乾燥して形成されるので、案内管５の内径に拘わらず保持部材１０を確実に形成することができる。したがって、案内管５の径を小さくすることができ、指で案内管５を摘む感覚を、鍼体４を直接指で摘む感覚に近づけることができるので、鍼体４を刺入する感覚を、案内管５を通じて施術者に正確に伝えることができる。
【００２１】
また、保持部材１０を液状のラテックス又はポリウレタン樹脂から形成したので、案内管５に密着させることができ、保持部材１０が案内管５から脱落することを確実に防止できる。
【００２２】
また、鍼具１は、案内管５と鍼管２との間に隙間を有しているので、案内管５と鍼管２とが擦れ合うことがなく、鍼体４をスムーズに刺入することができる。また、鍼体４をツボに刺入した後には、鍼管２をスムーズに取り去ることができる。
【００２３】
以上、本発明の一実施形態について詳述したが、本発明の具体的な態様は上記実施形態に限定されない。
【００２４】
例えば、本実施形態では、保持部材１０は、案内管５の内部において、挿入された鍼体４の先端側端部に設けられていたが、これとは反対側の、鍼柄３に近い側の端部に設けられていてもよい。また、保持部材１０は、鍼体４を、確実に保持しつつスムーズに移動させることができるのであれば、その設置位置や大きさは限定されない。例えば、案内管５の端部だけでなく、内部全体に設けられていてもよい。また、案内管５の端面に膜状に設けられていてもよい。
【図面の簡単な説明】
【００２５】
【図１】本発明の一実施形態に係る鍼具の側面断面図である。
【図２】従来の鍼具の側面断面図である。
【符号の説明】
【００２６】
１  鍼具
２  鍼管
３  鍼柄
４  鍼体
５  案内管
１０  保持部材
【図１】
2007075295.tif 000003
【図２】
2007075295.tif 000004